(57)【要約】      （修正有）【課題】開封用の道具を必要とせず、切屑を出さず、左右どちらからでも一連動作で開封し、開封部が綺麗に破断出来る事から再利用する事も出来る、この様な封筒の開封方法を提供する。【解決手段】封筒の開封予定線上一箇所に、指等の棒状部材で開封出来る多角形か円形又は楕円形で構成する開封初動部２aと、直線で構成する開封移行部２bを切れ目で構成し、且つ離隔部６を併せ持つ開封初期部２を左右対称に一対と、指で連続して破断できるミシン目部３を設ける。又該ミシン目部３を挟み、該開封初動部（２a）の対面に該ミシン目部３に沿い片面が粘着性のある帯状の部材を貼り付ける。【選択図】  図１
2006044779.tif 000002
【特許請求の範囲】
【請求項１】
封筒の開封予定線上一箇所に、開封部材挿し込み可能な開封初期部（２）と、連続して破断できるミシン目部（３）を併せ持つ事を特徴とする開封が簡易にできる封筒。
【請求項２】
開封初期部（２）を、多角形か円形又は楕円形で構成する開封初動部（２a）と、直線で構成する開封移行部（２b）を切れ目で構成し、且つ該開封初動部（２a）と、該開封移行部（２b）とは交差せず離隔部（６）を持つ事を特徴とする請求項１に記載の開封が簡易にできる封筒。
【請求項３】
開封初期部（２）を、開封予定線上に、左右対称に一対設けることを特徴とする請求項１に記載の開封が簡易にできる封筒。
【請求項４】
連続して破断できるミシン目部（３）を、開封予定線上で該開封移行部（２b）と連結或は近接して設けることを特徴とする請求項１に記載の開封が簡易にできる封筒。
【請求項５】
前記ミシン目部（３）を挟み、前記開封初動部（２a）の対面に、該ミシン目部（３）に沿って片面が粘着性のある帯状の部材（４）を、該ミシン目部（３）より長めに貼り付けた事を特徴とする請求項１に記載の開封が簡易にできる封筒。
【発明の詳細な説明】
【技術分野】
【０００１】
本発明は、封書の開封時に特別の道具を使用せず指で簡単に開封でき、加えて開封時の塵が出ない、一連の動作で簡易に開封できる、封入書類を傷つけない、切り口が綺麗等の特徴を持った封筒を提供するための封書の開封に関するものである。
【背景技術】
【０００２】
封書の開封法としては、従来手で千切るとか、はさみ等の開封用道具を使用する等の手法で行われて来たが、切り口が汚い、近くに道具が無い等の問題から近年は、特許文献１、特許文献２、特許文献３の様に様々な形状のミシン目利用による開封法が開示されている。しかしこれらの方法は何れも切屑が出る、開封箇所が複数になり手間がかかる、内封の書類を破断部より移動させて開封をしないと内封書類を傷つける可能性等の問題があった。
【特許文献１】特開２００３−３１２６８１号公報
【特許文献２】特開平１１−２０８３５号公報
【特許文献３】特開２００１−１２３５１９号公報
【発明の開示】
【発明が解決しようとする課題】
【０００３】
本発明において解決しようとする課題は、特に密封する必要の無い封筒に対して便利であるように、開封用の道具を必要としない、切屑を出さない、左右どちらからでも棒状部材や指による一連動作で開封出来る、開封部が綺麗に破断出来る事から封筒の再利用する事も出来るなど、この様な課題に対する封筒の開封方法を提供する。
【課題を解決するための手段】
【０００４】
封筒の開封予定線上一箇所に、多角形か円形、又は楕円形で構成する開封部材挿し込み可能な開封初動部（２a）と、直線で構成する開封移行部（２b）を切れ目で構成し、且つ離隔部（６）を併せ持つ開封初期部（２）を左右対称に一対設け、さらに連続して破断できるミシン目部（３）を設ける。又該ミシン目部（３）を挟み、該開封初動部（２a）の対面に該ミシン目部（３）に沿い片面が粘着性のある帯状の部材（４）を貼り付ける。
【発明の効果】
【０００５】
本発明の上記開封初期部（２）、及び上記ミシン目部（３）を利用して開封する場合の効果は、左右何れからも開封が可能、動作については、上記開封初動部（２a）に指を差し込む、次に上記開封移行部（２b）及び該ミシン目部（３）に沿って指を引くの二通りであり開封が容易、道具を必要とせず何時でも何処でも楽に開封出来る、さらに切り口が綺麗等の長所がある。又、開封部を別途封緘用具、例えば粘着性のあるテ−プや糊等を利用する事に因り送付先に対し失礼に当らない範囲、例えば同一会社或は官庁内等での再利用も容易で紙の節約や紙資源の節約につながる。このような効果がある。
【発明を実施するための最良の形態】
【０００６】
本発明に係る封書簡易開封方法を図１乃至図５に基づき説明して行く。図１は、本発明に係る封筒の斜視図であり、適宜形状の封筒（１）において、封筒（１）の開封部に設けた開封初期部（切れ目を有する切断部）（２）やミシン目部（３）の位置や状態が直視出来る状態にある。
【０００７】
図２は、多角形の辺形態か円形又は楕円形の辺形態で構成する長辺１５mm、角切２mm程度の切れ目を有する切断部からなる開封初動部（２a）と、全長が１５mm程度の直線で構成される切れ目を有する切断部からなる開封移行部（２b）、及び片面が粘着性のある帯状の部材（４）を連続して破断できるミシン目部（３）より５mm程度づつ長めに貼り付けた状態、さらに該ミシン目部（３）、等それぞれの位置関係を示す封筒の表側内面から見た展開図である。上記開封初動部（２a）は封筒の開封部分の左右に一対逆ハの字状に対照的に配置されている。尚、組み立て後この面は図１の様に封筒の内面となるため粘着性の有る帯状の部材（４）は外見上現れないが、前記開封初動部（２a）や直線で構成される開封移行部（２b）は切れ目やミシン目として図１のように目視出来る。
【０００８】
図３は上記状態の前述開封初動部（２a）や前述開封移行部（２b）及び前述ミシン目部（３）、さらに前述の帯状の部材（４）を、該ミシン目部（３）沿いに５mm程度づつ長めに貼り付けた状態の部分拡大図である。本図に示すように該開封初動部（２a）と該開封移行部（２b）は直接交差せずに２mm程度の切れ目を有しない連設部からなる離隔部（２c）を持って接続されている。これは封書の脆弱を防ぎ且つ密封化をも考慮したものである。さらに、前述開封初期部（２）や前述ミシン目部（３）に面するのりしろ部（６）は封筒の全幅より左右とも２mm程度づつ狭くして開封初動部（２a）の角切の切れ目としても良い。
【０００９】
次に、前述ミシン目部（３）に添って張る粘着性の有る帯状の部材（４）は、前述ミシン目部（３）を指に因り破断する場合の確実性と封書紙面の綺麗なカット面を形成する目的がある。また本図に示すように直線で構成される開封移行部（２b）と５mm程度重複するように貼り付ける、これは該開封移行部（２b）から該ミシン目部（３）に破断移行する時の破断の確実性をも図る為である。
【００１０】
上記の様にして形成された封書の開封法は、先ず図４の様に、多角形の辺形態か円形又は楕円形の辺形態で構成される開封初動部（２a）が開封部材挿し込み可能な状態に切れ目で部分的に開封されているので、この部分に鉛筆若しくは指等の棒状部材（７）を差し込み、２mm程度を持って分断されている離隔部（２c）を破断して直線で構成される開封移行部（２b）と一体とする。次に一体と成った前記２つの部分（２a）（２b）に続き、棒状部材（７）を差し込んだままの状態で、図５の様に前記ミシン目部（３）に添って横移動する、この動作に因り該ミシン目部（３）は破断され開封が為される。この様にごく簡易に封書の開封が実現出来る。
【００１１】
上記の様な手段で封書の開封を容易とする事が出来る。しかし、封筒は種類や大きさ、紙質も種々異なっている。従って前述の寸法値等は参考値であり、この寸法値に固執する必要は無いし、またミシン目の大きさも前述ミシン目部（４）が連続して破断出来れば良く、封筒の種類や大きさ或は紙質に応じて考慮できる事は言うまでも無い。ただし、前述開封初動部（２a）と前述開封移行部（２b）に付いては、鉛筆や指等の棒状部材（７）の挿入や、棒状部材（７）が該ミシン目部（４）へ円滑に移動でき容易に封書の開封出来れば良く、大き過ぎない方が好ましい。
【００１２】
以上の様に形態を説明して来た。この開封方法に因る開封箇所は、封筒の表側に設ける方が糊しろ等の回避から好ましいが、どのような形状の封筒に対しても封筒の表裏何れかの側に１箇所設ければ良い。尚、図面では封筒の表側上部のみを例として表示し、他の箇所については割愛している。
【図面の簡単な説明】
【００１３】
【図１】本発明に係る封筒の斜視図である。
【図２】本発明に係る封筒の表側内面から見た全体の展開図である。
【図３】本発明に係る封筒の表側内面から見た部分拡大図である。
【図４】本発明に係る開封初動部（２c）に指を挿し込んだ状態の図である。
【図５】本発明に係る離隔部（２c）を指が破断して、開封移行部（２b）を通りミシン目部（３）への移行状態を示す図で、指上部の矢印は指の動作方向を示す。
【図６】本発明に係る封筒を開封した状態の図である。
【図７】本発明に係る図２のA−A断面の帯状部材拡大断面図である。
【符号の説明】
【００１４】
１    封筒
１a   封筒表側内面
１b   封筒裏側内面
１c   封筒表側外面
２    開封初期部
２a   開封初動部（切れ目を有する切断部）
２b   開封移行部（切れ目を有する切断部）
２c   離隔部（切れ目を有しない連設部）
３    連続して破断出来るミシン目部
４    片面が粘着性の有る帯状の部材
４a   帯状部材の非接着層
４b   帯状部材の接着層
５    谷折り線
６    のりしろ
７    指（棒状部材）    
【図１】
2006044779.tif 000003
【図２】
2006044779.tif 000004
【図３】
2006044779.tif 000005
【図４】
2006044779.tif 000006
【図５】
2006044779.tif 000007
【図６】
2006044779.tif 000008
【図７】
2006044779.tif 000009